(57)【要約】      （修正有）【課題】棹部を一方の手で握りながら押弦する距離が遠い第５弦、第６弦のような複数本の弦の最後側の弦を、一方の手を伸ばした姿勢において、その一方の手の指先が届かない頭部側の位置で押弦することが行い易くする。【解決手段】一方の手で握りながら押弦する小指に近い第１弦側ａを右に見て複数本の最後の弦側ｆを左に見て、複数本の最後の弦ｆの胴部側２から第１弦ａの頭部側に向けて、棹部の表面を第１ａ弦の頭部側方向へ右下がりに所定角度θ傾斜させている。右下がりの所定角度θの傾斜は、右下がりに捻るように所定角度傾斜されていても良い。【選択図】図２
0003118023.tif 000002
【実用新案登録請求の範囲】
【請求項１】
胴部と棹部と頭部と、これらの間に張られる第１弦から順の複数本の弦とを備え、棹部を一方の手で握りながら複数本の弦を他方の手の指先やピックで弾いて演奏する有棹弦楽器において、
一方の手で握りながら押弦する小指に近い第１弦側を右に見て複数本の最後の弦側を左に見て、複数本の最後の弦の胴部側から第１弦の頭部側に向けて、棹部の表面を第１弦の頭部側方向へ右下がりに所定角度傾斜させていることを特徴とする有棹弦楽器。
【請求項２】
前記右下がりの所定角度の傾斜は、右下がりに捻るように所定角度傾斜されていることを特徴とする請求項１記載の有棹弦楽器。
【請求項３】
胴部と棹部と頭部と、これらの間に張られる第１弦から順の複数本の弦とを備え、棹部を一方の手で握りながら複数本の弦を他方の手の指先やピックで弾いて演奏する有棹弦楽器において、
一方の手で握りながら押弦する小指に近い第１弦側を右に見て複数本の最後の弦側を左に見て、棹部の表面の胴部側から頭部側に向けて、棹部の表面を複数本の最後の弦の頭部側方向へ左下がりに所定角度傾斜させていることを特徴とする有棹弦楽器。
【請求項４】
前記左下がりの所定角度の傾斜は、左下がりに捻るように所定角度傾斜されていることを特徴とする請求項３記載の有棹弦楽器。
【請求項５】
前記棹部に指板が取り付けられ、この指板に前記所定角度の傾斜が形成されていることを特徴とする請求項１ないし請求項４のいずれか１項記載の有棹弦楽器。
【請求項６】
前記有棹弦楽器が６本の弦を有するクラシックギター、エレキギター、アコースティックギター又は、ロックギターであることを特徴とする請求項１ないし請求項５のいずれか１項記載の有棹弦楽器。
【考案の詳細な説明】
【技術分野】
【０００１】
この考案は、クラシックギター、エレキギター、アコースティックギター又は、ロックギター等の押弦を行い易くする有棹弦楽器に関する。
【背景技術】
【０００２】
従来、例えばギターは、胴部と棹部と頭部と、これらの間に張られる第１弦から順の複数本の弦と、棹部に所定間隔で配されるフレットと、更にはナットを備えている。ギターでもクラシックギターやエレキギター等は、弦の本数が通常６本であるが、有棹弦楽器にもマンドリンやウクレレ、更には三味線のように種々のものがあり、６本のものもあれば、これよりも多いものも少ないものも存在する。そして、棹部の表面は、水平に形成されており（傾斜角度のない平面に形成されており）、フレットは、棹部の表面の中心線に対して垂直に同じ高さで設けられていた。棹部の表面には、指板が配されものもあるが、指板は水平な面を有するものであり、棹部に貼り合わされている。
【０００３】
上記有棹弦楽器の演奏の仕方を、６本の弦のクラシックギターやエレキギターの例で説明すると、右利きの演奏者が演奏を行う際、左手で棹部を下方である第１弦側から上方である第６弦側へ握り左手指先で弦を押さえるが、同時に左手で棹部を握らなければならない。そして、左腕を伸ばした姿勢となる頭部側において弦を押弦する場合は、押弦が難しくなる。すなわち、左手指先が棹部の表面（以下、指板の表面を含めて使用する。）やフレット等に対して弦をしっかりと押さえ込むようにすることは、左腕を伸ばした姿勢となる頭部側に行けば行くほど難しくなる。特に、第５弦、第６弦のような複数本の弦の最後側（最上部側）を押弦する際の演奏においては、棹部を握っている左手から距離が近い第１弦、第２弦を押弦する際に比べて、棹部を握っている左手から距離が遠いために、弦に届きにくく、さらに左手指先に力が入りにくくなり、左手で棹部を握りながらの不安定な状態となり、押弦が難しくなる。
【０００４】
このような事情から、棹部の表面の中心線に対して、ナット及びフレットを第１弦の頭部側方向へ右上がりに傾斜させて設けた試みがなされている（特許文献１を参照）。特許文献１には、従来であれば棹部の表面（指板１４）の中心線に対し垂直に設けてあるナット及びフレットを、通常演奏する際に、演奏者の左手指先が自然に向く方向である第６弦の胴部側（ギターの表面板１１側）方向へ傾斜させている。すなわち棹部の表面（指板１４）の中心線に対し、棹部の表面（指板１４）を正面から見て右上がりにナット１５及びフレット１６を傾斜させて設けている。なお、この傾斜角度αは３〜１５度が適当であるとされている。
【０００５】
上記特許文献１では、通常演奏する際に自然に左手指先が向く方向である第６弦の胴部側（ギターの表面板１１側）方向から、従来であれば棹部の表面（指板１４）の中心線に対し垂直に設けてあるナット及びフレット側へ無理に力を加えて、左手指先で弦を押さえるという不便さが解消でき、容易に演奏が出来るとされている。
【特許文献１】実開昭５１−１６０５３０
【考案の開示】
【考案が解決しようとする課題】
【０００６】
しかしながら、特許文献１記載の考案のように、従来であれば棹部の表面の中心線に対し垂直に設けてあるナットやフレットを、通常演奏する際に、演奏者の左手指先が自然に向く方向である第６弦の胴部側方向へ、すなわち棹部の表面中心線に対し、棹部の表面を正面から見て右上がりに傾斜させて設けた場合、この傾斜角度αは３〜１５度が適当であるとされているように、その傾斜角度には１０度以上もの差異を有する。通常演奏する際に自然に左手指先が向く方向は、演奏者によって各々異なるため、傾斜角度によってはかえってナット及びフレットに左手指先が届きにくくなる場合も予測され、その際押弦が難しくなる。仮に、指先が弦に届いたとしても、指板やフレットにしっかりと押さえ込むようにしなければならない場合もあるため、左手の人差し指等が第５弦や第６弦に届いたとしても、それだけでは十分に押弦できない場合もある。
【０００７】
第５弦、第６弦を押弦する際の演奏においては、棹部を握っている左手から距離が近い第１弦、第２弦を使用する際に比べて、棹部を握っている左手から距離が遠いために、左手指先に力が入りにくくなり押弦が難しくなる。さらに胴部側と比較しても頭部側の弦、ナット、フレット及び棹部の表面を押弦する際の演奏においては、左腕を伸ばした姿勢でなければ、押弦できないため、左腕を伸ばした姿勢であって、かつ左手で棹部を握りながらの不安定な状態となり、左手指先に力が入りにくくなり押弦が難しくなる。つまり、左手指先と、弦、ナット、フレット及び棹部の表面の距離が遠いほど、左手指先が弦、ナット、フレット及び棹部の表面に届きにくくなり、押弦が難しくなる。このため、特許文献１記載の考案も、頭部側に向かうほど、棹部を左手で固定しながら左腕を大きく伸ばしていく不安定な状態となり、左手指先に力が入りにくくなり押弦が難しくなると考えられる。
【０００８】
しかも、ナットやフレットは、弦の支点として弦を固定するためにあり、同時に弦が正常な振動をするうえで非常に重要な部分である。つまりナットやフレットで弦がどのように支えられているかで、音質、音程が決定される。このため、このナットやフレットを特許文献１記載の考案のように、弦と垂直ではなく傾斜角度を設けてナットやフレットを設置すると、音質、音程が変化してしまうという問題が生じてくるおそれがある。
【０００９】
そこで本考案の目的は、棹部を一方の手で握りながら押弦する距離が遠い第５弦、第６弦のような複数本の弦の最後側の弦を、一方の手を伸ばした姿勢において、その一方の手の指先が届かない頭部側の位置で押弦することが行い易く、しかも音質や音程には影響を与えない構造の有棹弦楽器を提供するものである。
【課題を解決するための手段】
【００１０】
上記問題点を解決するため、本考案請求項１に係る有棹弦楽器は、胴部と棹部と頭部と、これらの間に張られる第１弦から順の複数本の弦とを備え、棹部を一方の手で握りながら複数本の弦を他方の手の指先やピックで弾いて演奏する有棹弦楽器において、一方の手で握りながら押弦する小指に近い第１弦側を右に見て複数本の最後の弦側を左に見て、複数本の最後の弦の胴部側から第１弦の頭部側に向けて、棹部の表面を第１弦の頭部側方向へ右下がりに所定角度傾斜させていることを特徴とする。前記右下がりの所定角度の傾斜は、右下がりに捻るように所定角度傾斜されていても良い。
【００１１】
本考案によれば、右利きの演奏者の場合において、左手で棹部を握りながら押弦する際に、左腕が伸びた状態となるような場合でも、左手指先（中指や人差し指）と棹部の表面（指板の表面を含む。）の距離が右下がりに傾斜させた分だけ近くなるため、頭部側の弦を、意識せずに容易に押弦することが可能となる。特に、第５弦や第６弦のような最後側の弦であっても、左手指先（中指や人差し指等）により意識せずに容易に押弦することが可能となる。
【００１２】
本考案の請求項３に係る有棹弦楽器は、胴部と棹部と頭部と、これらの間に張られる第１弦から順の複数本の弦とを備え、棹部を一方の手で握りながら複数本の弦を他方の手の指先やピックで弾いて演奏する有棹弦楽器において、一方の手で握りながら押弦する小指に近い第１弦側を右に見て複数本の最後の弦側を左に見て、棹部の表面の胴部側から頭部側に向けて、棹部の表面を複数本の最後の弦の頭部側方向へ左下がりに所定角度傾斜させていることを特徴とする。前記左下がりの所定角度の傾斜は、左下がりに捻るように所定角度傾斜されていても良い。
【００１３】
本考案によれば、左利きの演奏者の場合において、左手で棹部を握りながら押弦する際に、右腕が伸びた状態となるような場合でも、右手指先（中指や人差し指）と棹部の表面（指板の表面を含む。）の距離が左下がりに傾斜させた分だけ近くなるため、頭部側の弦を、意識せずに容易に押弦することが可能となる。特に、第５弦や第６弦のような最後側の弦であっても、右手指先（中指や人差し指等）により意識せずに容易に押弦することが可能となる。
【００１４】
ここで、前記棹部に指板が取り付けられ、この指板に前記所定角度の傾斜が形成されていることにより、指板のみを上記傾斜のように加工して、これを棹部に貼り合せれば良くなり、棹部の表面を加工する必要はなくなる。
【考案の効果】
【００１５】
本考案に係る有棹弦楽器においては、複数本の最後の弦の胴部側から第１弦の頭部側に向けて、棹部の表面を第１弦の頭部側方向へ右下がりに所定角度傾斜させているか、又は、複数本の最後の弦の胴部側から第１弦の頭部側に向けて、棹部の表面を第１弦の頭部側方向へ左下がりに所定角度傾斜させていることにより、棹部を握りながら押圧する指（特に人差し指や中指）が棹部の表面や指板（更には、これらに設けられているナットやフレット等）の距離が近くなり、一方の手が伸びた状態で、かつ一方の手で棹部を握りながら押弦が行い易くなり、演奏者は、棹部の長手方向において徐々に緩やかな傾斜であるから、その傾斜を意識せずに演奏することが可能になる。また、棹部の長手方向において徐々に傾斜させた緩やかな傾斜であるから、フレットやナットと弦との距離や交差状態は変わるものではなく、音質や音程には影響を与えない構造の有棹弦楽器を提供するものことが可能になる。
【考案を実施するための最良の形態】
【００１６】
以下、この考案の実施例を図面に基づいて詳細に説明する。
本実施の形態は、ギター（中でもクラシックギター或いはエレキギター）を本考案に適用した有棹弦楽器（演奏者が右利きの場合）であり、図１は、その全体構成を示す図であり、図２は、棹部４の表面の下り傾斜を説明する図であり、図３（ａ）はフレット５に対して平行に、つまり棹部の表面３中心線に対して垂直に、胴部２側棹部４をＡ線で切断した断面図で、図３（ｂ）は図３（ａ）と同様に棹部４中程をＢ線で切断した断面図で、図３（ｃ）はナット６側棹部４を図３（ａ）と同様にしてＣ線で切断した断面図である。このように、一方の手（左手）で握りながら押弦する小指に近い第１弦ａ側を右に見て複数本の最後の弦（第６弦ｆ）側を左に見て、複数本の最後の弦（第６弦ｆ）の胴部２側から第１弦ａの頭部９側に向けて、棹部４の表面を第１弦ａの頭部側９の方向へと右下がりに所定角度θを傾斜させているクラシックギター１である。傾斜角度θは、演奏者に上記傾斜角度を意識させることなく演奏をさせるため、緩やかな右下がりの所定角度が好ましく、例えば１０度前後から２０度前後の傾斜角度になっている。ただし、理論的には、数度の傾斜から４５度前後の傾斜にすることも可能である。また、右下がりに捻るように所定角度θの傾斜が形成されていても良い。
【００１７】
さらに、詳しく説明すると、有棹弦楽器の演奏を行う際には、右利き演奏者であれば、左手で棹部４を下方である第１弦ａ側から握り左手指先を上方である第６弦ｆ側に向けて弦を押さえることが通常であるが、図３（ａ）、図３（ｂ）及び図３（ｃ）に示すように、Ｈａ＞Ｈｂ＞Ｈｃとなり、棹部４の、つまり指板３の表面を第１弦ａ側を右に第６弦ｆ側を左に見て、棹部の表面３を第６弦ｆの胴部側から第１弦ａの頭部側へ向けて、指板３の表面を第１弦ａのナット６側方向へ緩やかに右下がりに傾斜させている。すなわち、図２に示すように、胴部２側（或いはサドル７側）の第１弦ａの位置をＡ´とし、第６弦ｆの位置をＢ´とし、他方、ナット６側の第１弦ａの位置をＣ´とし、第６弦ｆの位置をＤ´とすると、従来のクラシックギターは、上記Ａ´，Ｂ´，Ｃ´，Ｄ´の位置は同じ位置、つまり平面であるが、本実施の形態のクラシックギター１は、上記Ｄ´点が角度θ分だけ捻り下げるように徐々に傾斜させて、Ｄ″の位置に設けている。このように傾斜させると、見た目には、右下がりの所定角度θの傾斜は、右下がりに捻るように所定角度傾斜されているようになる。この傾斜は、棹部４の長手方向において徐々に傾斜させた緩やかな傾斜であるから、フレット５やナット６と弦ａ〜ｆとの距離や交差状態は変わるものではなく、音質や音程には影響を与えない構造になる。
【００１８】
ここで、本実施の形態では、棹部４の表面に指板３が貼り合わせられているが、指板３に上記のような下り傾斜を形成せずに、棹部４の表面に上記のような下り傾斜を形成しても良い。ただし、上記傾斜角度θを設けることは、精密な加工が必要になるが、本実施の形態では、指板３のみ加工すれば足り、そして棹部４に貼り合せれば良くなる。
【００１９】
また、ナット６とフレット５は、棹部４の表面の中心線に対して垂直に設けられている。ナット６は、弦ａ〜ｆの支点として弦を固定するとともに弦ａ〜ｆが正常な振動をするうえで非常に重要な部分である。つまり、ナット６で弦ａ〜ｆがどのように支えられているかで、音質、音程が決定される。よってナット６は棹部４の表面の中心線に対して垂直に設けている。同様に、フレット５においても、弦ａ〜ｆを押さえるとその押さえた位置とフレット５の位置によって音質、音程が決定される非常に重要な部分となるため垂直に設置している。また、フレット５は弦ａ〜ｆと接触するために、こすれて磨耗するので、ある程度年数が経つと交換する必要性がでてくる。その際においても、ナット６と同様に垂直に設置してあれば交換の作業が容易になるという利点も考慮でき、フレット５は垂直に設置している。
【００２０】
したがって、右利きの演奏者は、左手指先と指板３の距離が右下がりに傾斜させた分だけ近くなるため、従来、左手で棹部４を握りながらの不安定な状態における通常は届きにくかった、頭部９側の第５弦ｅや第６弦ｆのような複数本の最後の弦へ左手指先が容易に、力強く押弦可能となる。例えば、クラッシクギターやエレキギターにおいて、ネック（棹）の根元付近からナット６に向けて一気に左手の押弦をそのまま引き上げるようにするときも、手を伸ばした状態でのしっかりした押弦が困難になるようなことが防止できる（意識しなくとも）。このように傾斜角度θを持たせても、弦ａ〜ｆとナット６とは垂直に交差するとともに、棹部の表面３から弦ａ〜ｆまでの距離も一定であるから、特許文献１のように音質や音程に影響を与えることもない。
【００２１】
なお、演奏者が左利きである場合においては、右手で棹部４を固定し、右指先で弦、ナット６、フレット５及び棹部の表面３を押弦するため、上記で示した傾斜方向が当然逆となる（図３における傾斜が逆向きになる）。つまり、棹部の表面３の第１弦ａ側を右に第６弦ｆ側を左に見て、第１弦ａの胴部２側から第６弦ｆの頭部側９の方向へ、棹部の表面３を第６弦ｆのナット６側方向へ緩やかに左下がりに傾斜させて設けることにより、右指先と弦、ナット６、フレット５及び棹部の表面３の距離が近くなり、右腕が伸びた状態で、かつ右で棹部４を握りながらの不安定な状態においても、ナット６側の弦、ナット６、フレット５及び棹部の表面３が押さえ易くなり、例えば演奏初心者であっても、棹部４を握っている右から距離が遠い第５弦ｅ、第６弦ｆを押弦する演奏であって、かつ、右腕を伸ばした姿勢でなければ、右指先が弦ａ〜ｆ、ナット６、フレット５及び棹部の表面３に届かない押弦が容易に可能となる。
【００２２】
以上、本実施の形態の有棹弦楽器はギターを例に説明したが、本考案はこれに限定されるものではなく、棹部を有する管弦楽器であれば、マンドリン、ウクレレ、バイオリン等の弦楽器においても適用可能である。
【図面の簡単な説明】
【００２３】
【図１】本考案に係る有棹弦楽器をクラシックギターに適用した一実施の形態の図である。
【図２】上記実施の形態の棹部の表面の下り傾斜を説明する図である。
【図３】上記実施の形態の棹部の表面の下り傾斜を説明する断面図であり、（ａ）はＡ線で切断した断面図であり、（ｂ）はＢ線で切断した図であり、（ｃ）はＣ線で切断した図である。
【図４】従来のギターを示す全体図である。
【符号の説明】
【００２４】
１        有棹弦楽器（ギター）
２        胴部
３        棹部の表面（指板）
４        棹部
５        フレット
６        ナット
７        サドル
９        頭部
ａ        第１弦
ｂ        第２弦
ｃ        第３弦
ｄ        第４弦
ｅ        第５弦
ｆ        第６弦
θ        所定角度傾斜の傾斜
【図１】
0003118023.tif 000003
【図２】
0003118023.tif 000004
【図３】
0003118023.tif 000005
【図４】
0003118023.tif 000006